(57)【特許請求の範囲】
【請求項１】
複数の異なるアスペクト比に対応する複数の部分撮像領域を包含する撮像領域を備えた撮像素子を有する撮像手段と、
記録媒体に前記撮像手段により撮像された画像データを記録するための記録方式として、現像処理の施された画像データを記録する第１の記録方式と、現像処理の施されていないＲＡＷ画像データを記録する第２の記録方式とを設定できる記録方式設定手段と、
前記設定された記録方式によって前記記録媒体に画像データを記録する記録手段とを有し、
前記記録手段は、前記第２の記録方式が設定されているときに、前記ＲＡＷ画像データと、前記複数の部分撮像領域のそれぞれの位置を示す位置情報とを前記記録媒体に記録することを特徴とする撮像装置。
【請求項２】
前記複数の異なるアスペクト比のいずれかを設定できるアスペクト比設定手段をさらに有し、
前記記録手段は、前記ＲＡＷ画像データを前記記録媒体に記録し、撮影時に前記アスペクト比設定手段によって設定されている撮影時のアスペクト比も当該画像データに関連付けて記録することを特徴とする請求項１記載の撮像装置。
【請求項３】
撮像データから人の顔に関する顔情報を検出する顔検出手段をさらに有し、
前記記録手段は、前記ＲＡＷ画像データを前記記録媒体に記録し、前記撮像データから顔情報が検出されたときには、その顔情報も当該画像データに関連付けて記録することを特徴とする請求項１又は２記載の撮像装置。
【請求項４】
複数の異なる撮影モードのいずれかを設定できる撮影モード設定手段と、
前記撮像装置の姿勢を検出する姿勢検出手段と、
撮像データに基づいて被写体輝度を算出し、該算出した被写体輝度に基づいて被写体輝度分布を検出する測光手段と、
前記撮像データに基づいて被写体の色温度を判定する色温度判定手段と、
前記撮影モード設定手段によって設定された撮影モード、前記姿勢検出手段によって検出された姿勢、前記測光手段によって検出された被写体輝度分布及び前記色温度判定手段によって判定された被写体の色温度のうち、少なくとも１つの情報に基づいて前記撮像データの撮影シーンを判定する撮影シーン判定手段とをさらに有し、
前記記録手段は、前記ＲＡＷ画像データを前記記録媒体に記録し、前記撮影シーン判定手段によって判定された撮影シーンも当該画像データに関連付けて記録することを特徴とする請求項１乃至３のいずれか１項に記載の撮像装置。
【請求項５】
前記撮像手段は、撮像指示に応じて、前記撮像素子から前記複数の部分撮像領域のうちのいずれか又は前記撮像領域全体に含まれる撮像信号を読み出す読み出し手段を備え、
前記読み出し手段は、前記記録方式設定手段によって第１の記録方式が設定されているときには、前記撮像素子から前記複数の部分撮像領域のうちのいずれかに含まれる撮像信号を読み出す一方、前記記録方式設定手段によって第２の記録方式が設定されているときには、前記撮像素子から前記撮像領域全体に含まれる撮像信号を読み出すことを特徴とする請求項１乃至４のいずれか１項に記載の撮像装置。
【請求項６】
前記撮像手段は、撮像指示に応じて、前記撮像素子から前記複数の部分撮像領域のうちのいずれか又は前記撮像領域全体に含まれる撮像信号を読み出す読み出し手段を備え、
前記読み出し手段は、前記記録方式設定手段によって第１の記録方式が設定されているときには、前記撮像素子から前記アスペクト比設定手段によって設定されたアスペクト比に対応する部分撮像領域に含まれる撮像信号を読み出す一方、前記記録方式設定手段によって第２の記録方式が設定されているときには、前記撮像素子から前記撮像領域全体に含まれる撮像信号を読み出すことを特徴とする請求項２記載の撮像装置。
【請求項７】
前記記録媒体に記録されたＲＡＷ画像データを現像する現像手段と、
前記現像手段による現像時のアスペクト比を設定する現像アスペクト比設定手段と
をさらに有し、
前記現像手段は、現像対象の画像データから、前記現像アスペクト比設定手段によって設定された現像時のアスペクト比に対応する部分撮像領域に含まれる画像データを抽出し、該抽出した画像データを現像することを特徴とする請求項１乃至６のいずれか１項に記載の撮像装置。
【請求項８】
前記記録媒体に記録されたＲＡＷ画像データを現像する現像手段と、
現像対象の画像データとともに記憶された顔情報に基づいて、当該画像データの現像時のアスペクト比を決定する第１の決定手段とをさらに有し、
前記現像手段は、現像対象の画像データから、前記第１の決定手段によって決定された現像時のアスペクト比に対応する部分撮像領域に含まれる画像データを抽出し、該抽出した画像データを現像することを特徴とする請求項１乃至６のいずれか１項に記載の撮像装置。
【請求項９】
前記記録媒体に記録されたＲＡＷ画像データを現像する現像手段と、
現像対象の画像データとともに記憶された撮影シーンに基づいて、当該画像データの現像時のアスペクト比を決定する第２の決定手段とをさらに有し、
前記現像手段は、現像対象の画像データから、前記第２の決定手段によって決定された現像時のアスペクト比に対応する部分撮像領域に含まれる画像データを抽出し、該抽出した画像データを現像することを特徴とする請求項１乃至６のいずれか１項に記載の撮像装置。
【請求項１０】
複数の異なるアスペクト比に対応する複数の現像画像領域のそれぞれの位置を示す位置情報が関連付けられたＲＡＷ画像データを現像する現像方法であって、
現像対象の画像データから、現像アスペクト比設定手段によって設定された現像時のアスペクト比に対応する現像画像領域に含まれる画像データを前記関連付けられた位置情報に基づいて抽出し、該抽出した画像データを現像することを特徴とする現像方法。
【請求項１１】
複数の異なるアスペクト比に対応する複数の現像画像領域のそれぞれの位置を示す位置情報及び撮影時のアスペクト比が関連付けられたＲＡＷ画像データを現像する現像方法であって、
現像対象の画像データから、前記撮影時のアスペクト比に対応する現像画像領域に含まれる画像データを抽出し、該抽出した画像データを現像することを特徴とする現像方法。
【請求項１２】
複数の異なるアスペクト比に対応する複数の現像画像領域のそれぞれの位置を示す位置情報及び顔に関する顔情報が関連付けられたＲＡＷ画像データを現像する現像方法であって、
現像対象の画像データに関連付けられた顔情報に基づいて、当該画像データの現像時のアスペクト比を決定する第１の決定ステップを有し、
現像対象の画像データから、前記第１の決定ステップによって決定された現像時のアスペクト比に対応する現像画像領域に含まれる画像データを抽出し、該抽出した画像データを現像することを特徴とする現像方法。
【請求項１３】
複数の異なるアスペクト比に対応する複数の現像画像領域のそれぞれの位置を示す位置情報及び撮影シーンが関連付けられたＲＡＷ画像データを現像する現像方法であって、
現像対象の画像データに関連付けられた撮影シーンに基づいて、当該画像データの現像時のアスペクト比を決定する第２の決定ステップを有し、
現像対象の画像データから、前記第２の決定ステップによって決定された現像時のアスペクト比に対応する部分撮像領域に含まれる画像データを抽出し、該抽出した画像データを現像することを特徴とする現像方法。
【請求項１４】
複数の異なるアスペクト比に対応する複数の現像画像領域のそれぞれの位置を示す位置情報、顔に関する顔情報及び撮影シーンが関連付けられたＲＡＷ画像データを現像する現像方法であって、
現像対象の画像データに関連付けられた顔情報及び／又は撮影シーンに基づいて、当該画像データの現像時のアスペクト比を決定する第３の決定ステップを有し、
現像対象の画像データから、前記第３の決定ステップによって決定された現像時のアスペクト比に対応する現像画像領域に含まれる画像データを抽出し、該抽出した画像データを現像することを特徴とする現像方法。
【請求項１５】
複数の異なるアスペクト比に対応する複数の現像画像領域のそれぞれの位置を示す位置情報が関連付けられたＲＡＷ画像データを現像する現像方法をコンピュータに実行させるプログラムであって、
前記現像方法は、現像対象の画像データから、現像アスペクト比設定手段によって設定された現像時のアスペクト比に対応する現像画像領域に含まれる画像データを前記関連付けられた位置情報に基づいて抽出し、該抽出した画像データを現像することを特徴とするプログラム。
【請求項１６】
複数の異なるアスペクト比に対応する複数の現像画像領域のそれぞれの位置を示す位置情報及び撮影時のアスペクト比が関連付けられたＲＡＷ画像データを現像する現像方法をコンピュータに実行させるプログラムであって、
前記現像方法は、現像対象の画像データから、前記撮影時のアスペクト比に対応する現像画像領域に含まれる画像データを抽出し、該抽出した画像データを現像することを特徴とするプログラム。
【請求項１７】
複数の異なるアスペクト比に対応する複数の現像画像領域のそれぞれの位置を示す位置情報及び顔に関する顔情報が関連付けられたＲＡＷ画像データを現像する現像方法をコンピュータに実行させるプログラムであって、
前記現像方法は、
現像対象の画像データに関連付けられた顔情報に基づいて、当該画像データの現像時のアスペクト比を決定する第１の決定ステップを有し、
現像対象の画像データから、前記第１の決定ステップによって決定された現像時のアスペクト比に対応する現像画像領域に含まれる画像データを抽出し、該抽出した画像データを現像することを特徴とするプログラム。
【請求項１８】
複数の異なるアスペクト比に対応する複数の現像画像領域のそれぞれの位置を示す位置情報及び撮影シーンが関連付けられたＲＡＷ画像データを現像する現像方法をコンピュータに実行させるプログラムであって、
前記現像方法は、
現像対象の画像データに関連付けられた撮影シーンに基づいて、当該画像データの現像時のアスペクト比を決定する第２の決定ステップを有し、
現像対象の画像データから、前記第２の決定ステップによって決定された現像時のアスペクト比に対応する部分撮像領域に含まれる画像データを抽出し、該抽出した画像データを現像することを特徴とするプログラム。
【請求項１９】
複数の異なるアスペクト比に対応する複数の現像画像領域のそれぞれの位置を示す位置情報、顔に関する顔情報及び撮影シーンが関連付けられたＲＡＷ画像データを現像する現像方法をコンピュータに実行させるプログラムであって、
前記現像方法は、
現像対象の画像データに関連付けられた顔情報及び／又は撮影シーンに基づいて、当該画像データの現像時のアスペクト比を決定する第３の決定ステップを有し、
現像対象の画像データから、前記第３の決定ステップによって決定された現像時のアスペクト比に対応する現像画像領域に含まれる画像データを抽出し、該抽出した画像データを現像することを特徴とするプログラム。
【請求項２０】
複数の異なるアスペクト比に対応する複数の部分撮像領域を包含する撮像領域を備えた撮像素子を有する撮像手段と、
記録する画像データのアスペクト比を設定する設定手段と、
前記撮像手段により撮像された画像データに処理を施して記録媒体に画像データを記録するための記録方式として、第１の形式の画像データを記録する第１の記録方式と、第２の形式の画像データを記録する第２の記録方式とを設定できる記録方式設定手段と、
前記設定された記録方式によって前記記録媒体に画像データを記録する記録手段とを有し、
前記記録手段は、画像データを前記第２の記録方式で記録するときには、前記設定手段により設定されるアスペクト比にかかわらず、前記複数の部分撮像領域を包含する撮像領域に対応する画像データを記録し、前記複数の部分撮像領域のそれぞれの位置を示す位置情報も前記記録媒体に記録することを特徴とする撮像装置。
【請求項２１】
前記第２の形式の画像データは、ＲＡＷ画像データであることを特徴とする請求項２０に記載の撮像装置。
【請求項２２】
前記第２の形式の画像データは、現像処理が施されていない画像データであることを特徴とする請求項２０記載の撮像装置。
【請求項２３】
前記第２の形式の画像データは、可逆圧縮処理が施された画像データであることを特徴とする請求項２０乃至２２のいずれか１項に記載の撮像装置。
【請求項２４】
前記第１の形式の画像データは、現像処理の施された画像データであることを特徴とする請求項２０乃至２３のいずれか１項に記載の撮像装置。
【請求項２５】
前記第１の形式の画像データは、ＪＰＥＧ画像データであることを特徴とする請求項２０乃至２４のいずれか１項に記載の撮像装置。
【請求項２６】
前記記録手段は、前記設定手段により設定されるアスペクト比の情報を、記録する画像データとともに前記記録媒体に記録することを特徴とする請求項２０乃至２５のいずれか１項に記載の撮像装置。
【発明の詳細な説明】
【技術分野】
【０００１】
本発明は、複数の異なるアスペクト比からいずれかを任意に選択して、可逆圧縮形式又は非可逆圧縮形式の画像データを生成し記録する撮像装置、及び複数の異なるアスペクト比からなる複数の現像画像領域が関連付けられた可逆圧縮形式の画像データを現像する現像方法及び該現像方法を実現するためのプログラムに関する。
【背景技術】
【０００２】
複数の異なるアスペクト比の中からいずれかを任意に選択でき、選択されたアスペクト比の画像データを記録可能な撮像装置は、従来から知られている。
【０００３】
このような撮像装置として、複数の異なるアスペクト比のそれぞれと対応付けられた複数のアスペクトモードのいずれかを設定でき、設定されたアスペクトモードに対応付けられたアスペクト比の有効画素領域内の画素出力を固体撮像素子から部分的に読み出して、読み出した画素出力に基づいて当該アスペクト比の記録用画像データを生成して記録するようにしたもの（以下、「第１の従来の撮像装置」という）がある（例えば、特許文献１参照）。この第１の従来の撮像装置では、全有効画素領域内の画素出力を固体撮像素子から読み出してメモリに一時記憶した後、設定されたアスペクトモードに対応付けられたアスペクト比の有効画素領域内の画素出力をメモリから読み出し、読み出した画素出力に基づいて当該アスペクト比の記録用画像データを生成して記録することもできるようになっている。
【０００４】
また、複数の異なるアスペクト比の画像データを同時に記録できるようにした撮像装置も、従来から知られている。
【０００５】
このような撮像装置として、撮像素子に、イメージサークルに略内接した、少なくとも２つの異なるアスペクト比の有効撮像領域を設け、それぞれの有効撮像領域からそれぞれのアスペクト比の映像信号を同時に読み出して記録するようにしたもの（以下、「第２の従来の撮像装置」という）がある（例えば、特許文献２参照）。
【０００６】
さらに、固体撮像素子からの出力である、撮像データに最低限の補正処理等を施し、現像処理を行わずロスレス圧縮（可逆圧縮）した原画像に近い可逆圧縮形式の画像データを生成し、記録媒体に記録する撮像装置（以下、「第３の従来の撮像装置」という）も知られている。
【０００７】
上記第３の従来の撮像装置のように、原画像に近い可逆圧縮形式の画像データを記録するようにした場合には、撮像装置固有のパラメータで現像し圧縮した非可逆圧縮形式の画像データを記録するようにした場合に比べ、撮影後に画像毎の特徴に合わせてより有利な条件で現像することができる。
【先行技術文献】
【特許文献】
【０００８】
【特許文献１】特開２００７−１１０６９５号公報
【特許文献２】特開２００６−１０９０５０号公報
【発明の概要】
【発明が解決しようとする課題】
【０００９】
そこで、上記第３の従来の撮像装置に上記第１の従来の撮像装置を組み合わせると、複数の異なるアスペクトモードのいずれかを設定でき、設定されたアスペクトモードに対応付けられたアスペクト比の可逆圧縮形式の記録用画像データを生成して記録する構成の発明（以下、「第１の組み合わせ発明」という）が得られる。
【００１０】
一方、上記第３の従来の撮像装置に上記第２の従来の撮像装置を組み合わせると、複数の異なるアスペクト比の画像データを生成して記録する構成の発明（以下、「第２の組み合わせ発明」という）が得られる。
【００１１】
しかし、上記第１の組み合わせ発明では、アスペクトモードが設定されると、記録用画像データのアスペクト比が一意的に決定されるため、撮影後に、記録された可逆圧縮形式の画像データについて、撮影画角、印刷／表示デバイスに応じたアスペクト変換を行おうとしても、困難であった。
【００１２】
また、上記第２の組み合わせ発明では、同じ画像の画像データがアスペクト比の数分同時に記録されるので、記録媒体の記録容量がアスペクト比の数倍増加するとともに、画像データの整理等が煩雑になる可能性があった。
【００１３】
本発明は、この点に着目してなされたものであり、記録媒体に記録する際の画像データの容量と数を抑えつつ、多くのアスペクト比で画像データを現像することが可能となる撮像装置、現像方法及びプログラムを提供することを目的とする。
【課題を解決するための手段】
【００１４】
上記目的を達成するため、請求項１記載の撮像装置は、複数の異なるアスペクト比に対応する複数の部分撮像領域を包含する撮像領域を備えた撮像素子を有する撮像手段と、記録媒体に前記撮像手段により撮像された画像データを記録するための記録方式として、現像処理の施された画像データを記録する第１の記録方式と、現像処理の施されていないＲＡＷ画像データを記録する第２の記録方式とを設定できる記録方式設定手段と、前記設定された記録方式によって前記記録媒体に画像データを記録する記録手段とを有し、前記記録手段は、前記第２の記録方式が設定されているときに、前記ＲＡＷ画像データと、前記複数の部分撮像領域のそれぞれの位置を示す位置情報とを前記記録媒体に記録することを特徴とする。
また、請求項２０記載の撮像装置は、複数の異なるアスペクト比に対応する複数の部分撮像領域を包含する撮像領域を備えた撮像素子を有する撮像手段と、記録する画像データのアスペクト比を設定する設定手段と、前記撮像手段により撮像された画像データに処理を施して記録媒体に画像データを記録するための記録方式として、第１の形式の画像データを記録する第１の記録方式と、第２の形式の画像データを記録する第２の記録方式とを設定できる記録方式設定手段と、前記設定された記録方式によって前記記録媒体に画像データを記録する記録手段とを有し、前記記録手段は、画像データを前記第２の記録方式で記録するときには、前記設定手段により設定されるアスペクト比にかかわらず、前記複数の部分撮像領域を包含する撮像領域に対応する画像データを記録し、前記複数の部分撮像領域のそれぞれの位置を示す位置情報も前記記録媒体に記録することを特徴とする。
【００１５】
上記目的を達成するため、請求項１０に記載の現像方法は、複数の異なるアスペクト比に対応する複数の現像画像領域のそれぞれの位置を示す位置情報が関連付けられたＲＡＷ画像データを現像する現像方法であって、現像対象の画像データから、現像アスペクト比設定手段によって設定された現像時のアスペクト比に対応する現像画像領域に含まれる画像データを前記関連付けられた位置情報に基づいて抽出し、該抽出した画像データを現像することを特徴とする。
また、請求項１５に記載のプログラムは、複数の異なるアスペクト比に対応する複数の現像画像領域のそれぞれの位置を示す位置情報が関連付けられたＲＡＷ画像データを現像する現像方法をコンピュータに実行させるプログラムであって、前記現像方法は、現像対象の画像データから、現像アスペクト比設定手段によって設定された現像時のアスペクト比に対応する現像画像領域に含まれる画像データを前記関連付けられた位置情報に基づいて抽出し、該抽出した画像データを現像することを特徴とする。
【００１６】
上記目的を達成するため、請求項１１に記載の現像方法は、複数の異なるアスペクト比に対応する複数の現像画像領域のそれぞれの位置を示す位置情報及び撮影時のアスペクト比が関連付けられたＲＡＷ画像データを現像する現像方法であって、現像対象の画像データから、前記撮影時のアスペクト比に対応する現像画像領域に含まれる画像データを抽出し、該抽出した画像データを現像することを特徴とする。
また、請求項１６に記載のプログラムは、複数の異なるアスペクト比に対応する複数の現像画像領域のそれぞれの位置を示す位置情報及び撮影時のアスペクト比が関連付けられたＲＡＷ画像データを現像する現像方法をコンピュータに実行させるプログラムであって、前記現像方法は、現像対象の画像データから、前記撮影時のアスペクト比に対応する現像画像領域に含まれる画像データを抽出し、該抽出した画像データを現像することを特徴とする。
【００１７】
上記目的を達成するため、請求項１２に記載の現像方法は、複数の異なるアスペクト比に対応する複数の現像画像領域のそれぞれの位置を示す位置情報及び顔に関する顔情報が関連付けられたＲＡＷ画像データを現像する現像方法であって、現像対象の画像データに関連付けられた顔情報に基づいて、当該画像データの現像時のアスペクト比を決定する第１の決定ステップを有し、現像対象の画像データから、前記第１の決定ステップによって決定された現像時のアスペクト比に対応する現像画像領域に含まれる画像データを抽出し、該抽出した画像データを現像することを特徴とする。
また、請求項１７に記載のプログラムは、複数の異なるアスペクト比に対応する複数の現像画像領域のそれぞれの位置を示す位置情報及び顔に関する顔情報が関連付けられたＲＡＷ画像データを現像する現像方法をコンピュータに実行させるプログラムであって、前記現像方法は、現像対象の画像データに関連付けられた顔情報に基づいて、当該画像データの現像時のアスペクト比を決定する第１の決定ステップを有し、現像対象の画像データから、前記第１の決定ステップによって決定された現像時のアスペクト比に対応する現像画像領域に含まれる画像データを抽出し、該抽出した画像データを現像することを特徴とする。
【００１８】
上記目的を達成するため、請求項１３に記載の現像方法は、複数の異なるアスペクト比に対応する複数の現像画像領域のそれぞれの位置を示す位置情報及び撮影シーンが関連付けられたＲＡＷ画像データを現像する現像方法であって、現像対象の画像データに関連付けられた撮影シーンに基づいて、当該画像データの現像時のアスペクト比を決定する第２の決定ステップを有し、現像対象の画像データから、前記第２の決定ステップによって決定された現像時のアスペクト比に対応する部分撮像領域に含まれる画像データを抽出し、該抽出した画像データを現像することを特徴とする。
また、請求項１８に記載のプログラムは、複数の異なるアスペクト比に対応する複数の現像画像領域のそれぞれの位置を示す位置情報及び撮影シーンが関連付けられたＲＡＷ画像データを現像する現像方法をコンピュータに実行させるプログラムであって、前記現像方法は、現像対象の画像データに関連付けられた撮影シーンに基づいて、当該画像データの現像時のアスペクト比を決定する第２の決定ステップを有し、現像対象の画像データから、前記第２の決定ステップによって決定された現像時のアスペクト比に対応する部分撮像領域に含まれる画像データを抽出し、該抽出した画像データを現像することを特徴とする。
【００１９】
上記目的を達成するため、請求項１４に記載の現像方法は、複数の異なるアスペクト比に対応する複数の現像画像領域のそれぞれの位置を示す位置情報、顔に関する顔情報及び撮影シーンが関連付けられたＲＡＷ画像データを現像する現像方法であって、現像対象の画像データに関連付けられた顔情報及び／又は撮影シーンに基づいて、当該画像データの現像時のアスペクト比を決定する第３の決定ステップを有し、現像対象の画像データから、前記第３の決定ステップによって決定された現像時のアスペクト比に対応する現像画像領域に含まれる画像データを抽出し、該抽出した画像データを現像することを特徴とする。
また、請求項１９に記載のプログラムは、複数の異なるアスペクト比に対応する複数の現像画像領域のそれぞれの位置を示す位置情報、顔に関する顔情報及び撮影シーンが関連付けられたＲＡＷ画像データを現像する現像方法をコンピュータに実行させるプログラムであって、前記現像方法は、現像対象の画像データに関連付けられた顔情報及び／又は撮影シーンに基づいて、当該画像データの現像時のアスペクト比を決定する第３の決定ステップを有し、現像対象の画像データから、前記第３の決定ステップによって決定された現像時のアスペクト比に対応する現像画像領域に含まれる画像データを抽出し、該抽出した画像データを現像することを特徴とする。
【発明の効果】
【００２０】
本発明によれば、可逆圧縮形式の画像データを記録媒体に記録する際に、複数の異なるアスペクト比からなる複数の部分撮像領域のそれぞれの位置を示す位置情報も同時に記録するようにしたので、記録媒体に記録する際の画像データの容量と数を抑えつつ、多くのアスペクト比で画像データを現像することが可能となる。
【図面の簡単な説明】
【００２１】
【図１】本発明の一実施の形態に係る撮像装置を適用したデジタルスチルカメラ（以下、「デジタルカメラ」と略して言う）のシステム構成を示すブロック図である。
【図２】図１中の顔検出回路の詳細な構成を示すブロック図である。
【図３】ＸＹアドレス型の走査方式を採る、図１中の撮像素子の構成の一部を示す図である。
【図４】図１のデジタルカメラにおける、イメージサークル、アスペクト比４：３選択時の撮像領域及びアスペクト比１６：９選択時の撮像領域を示した図である。
【図５】静止画撮影時に用いられる一括リセット読み出しの動作シーケンスの一例を示す図である。
【図６ａ】図１中の撮像素子のローリングシャッタ動作時の駆動シーケンスの一例を示す図である。
【図６ｂ】図１中の撮像素子のローリングシャッタ動作時の駆動シーケンスの一例を示す図である。
【図７】図１のデジタルカメラ、特にシステム制御部が実行する撮影時制御処理の手順を示すフローチャートである。
【図８】図７中の撮影処理の詳細な手順を示すフローチャートである。
【図９】図８中の自動露出制御処理の詳細な手順を示すフローチャートである。
【図１０】図８中の自動焦点調節処理の詳細な手順を示すフローチャートである。
【図１１】図７中の画像処理の詳細な手順を示すフローチャートである。
【図１２】図７中の記録処理の詳細な手順を示すフローチャートである。
【図１３】図１１の画像処理とは別の他の画像処理の詳細な手順を示すフローチャートである。
【図１４】図１３中の撮影シーン判定処理の詳細な手順を示すフローチャートである。
【図１５】図１２の記録処理とは別の他の記録処理の詳細な手順を示すフローチャートである。
【図１６】現像処理の詳細な手順を示すフローチャートである。
【図１７】図１６中のアスペクト比決定処理の詳細な手順を示すフローチャートである。
【発明を実施するための形態】
【００２２】
以下、本発明の実施の形態を図面に基づいて詳細に説明する。
【００２３】
図１は、本発明の一実施の形態に係る撮像装置を適用したデジタルカメラ１００のシステム構成を示すブロック図である。
【００２４】
同図において、デジタルカメラ１００は、変倍レンズ１１０及び焦点調節レンズ１１１を備えている。
【００２５】
メカニカルシャッタ（以下、「シャッタ」と略して言う）１１２は、変倍レンズ１１０及び焦点調節レンズ１１１から入力された被写体像の光束を遮断し、絞り１１３は、その光束量を調節する。
【００２６】
撮像素子１１４は、絞り１１３によって光束量の調節された被写体像を電気信号に変換する。
【００２７】
タイミング信号発生部１１５は、撮像素子１１４を駆動するとともに、撮像素子１１４からの出力をサンプリングするのに必要なタイミングパルスを発生する。
【００２８】
ＣＤＳ（硫化カドミウム）素子１１６は、撮像素子１１４からの出力をタイミング発生部１１５からのタイミングパルスに基づいて二重相関サンプリングを行う。
【００２９】
Ａ／Ｄ（analog-to-digital）変換器１１７は、ＣＤＳ素子１１６からの出力（撮像信号）を量子化（デジタル化）する。
【００３０】
なお、撮像素子１１４としては、従来の撮像装置で用いられている撮像素子と同様のものを用い、その動作についての説明は後述する。また図示例では、撮像素子１１４の出力チャネルを単数としているが、これに限らず、その出力チャンネルを多チャネルに分けて高速化するようにしてもよい。
【００３１】
画像処理部１１８（第１の生成手段及び第２の生成手段）は、前処理回路１１８ａ、輝度積分回路１１８ｂ、信号処理回路１１８ｃ、顔検出回路１１８ｄ、縮小回路１１８ｅ、ラスタブロック変換回路１１８ｆ及び圧縮回路１１８ｇによって構成されている。
【００３２】
前処理回路１１８ａは、入力された画像データ、つまり撮像データとなるＡ／Ｄ変換器１１７からの出力をライン単位で輝度積分回路１１８ｂと信号処理回路１１８ｃとに分配する。また、前処理回路１１８ａは、撮像データに必要となるチャネル間のデータ補正等の処理も行う。
【００３３】
輝度積分回路１１８ｂは、ＲＧＢ信号を特定の比率で加算することにより輝度成分を混合生成し（例えば、Ｙ＝０.３Ｒ＋０.３Ｇ１＋０.３Ｇ２＋０.１Ｂ）、入力画像を複数領域に分割し、領域毎に輝度成分を生成する。
【００３４】
信号処理回路１１８ｃは、Ａ／Ｄ変換器１１７からの撮像データに対して色キャリア除去、アパーチャ補正及びガンマ補正等を施して輝度信号を生成するとともに、色補間、マトリックス変換、ガンマ処理及びゲイン調整等を施して色差信号を生成する。そして信号処理回路１１８ｃは、生成した輝度信号及び色差信号からなるＹＵＶ形式の画像データを生成し、このＹＵＶ形式の画像データをメモリ部１２５に格納する。
【００３５】
縮小回路１１８ｅは、信号処理回路１１８ｃが生成したＹＵＶ形式の画像データを入力し、その画像データ内の画素データに対して、切り出し、間引き及び線形補間等の処理を施し、水平方向及び垂直方向の両方向について画素データを縮小する。
【００３６】
ラスタブロック変換回路１１８ｆは、縮小回路１１８ｅによって変倍されたラスタスキャン画像データをブロックスキャン画像データに変換する。
【００３７】
この一連の画像処理は、メモリ部１２５をバッファメモリとして用いて実行される。
【００３８】
圧縮回路１１８ｇは、バッファメモリ、つまりメモリ部１２５内で、ブロックスキャンデータに変換された画像データをブロック単位でＪＰＥＧ（joint photographic experts group）形式の画像データに圧縮するか、あるいは前処理のみを施したＲＧＢ信号をロスレス圧縮（可逆圧縮処理）する。
【００３９】
デジタルカメラ１００は、例えば、図示しない撮影モード切替スイッチ（撮影モード設定手段）により、撮影モードを設定できるように構成されている。このためデジタルカメラ１００は、ＪＰＥＧ画像データを生成する場合、設定された撮影モードに応じてアパーチャ補正量、ガンマ補正量、色補間及び色ゲイン等を変更し、ＲＧＢ形式の撮像データからＹＵＶ形式の画像データに現像する際の画質を決定する。つまりデジタルカメラ１００は、設定された撮影モードに適した画像生成を行う。一方、ロスレス圧縮画像データ（可逆圧縮形式の画像データ）を生成する場合には、デジタルカメラ１００は、後の現像時に参照する情報として、撮影モード等をそのファイルヘッダ内に記憶するようにしている。
【００４０】
図２は、顔検出回路１１８ｄの詳細な構成を示すブロック図である。
【００４１】
顔検出回路１１８ｄには、信号処理回路１１８ｃから出力されたＹＵＶ形式の画像データと、ＪＰＥＧ伸長されてメモリ部１２５にバッファリングされたＹＵＶ形式の画像データのいずれかを選択して入力することができる。入力されたＹＵＶ形式の画像データは、画像変換部１１８ｄ１によって一旦、所定サイズの画像データに変換される。そしてこの画像データは、画像抽出部１１８ｄ２によって所定領域が切り出され、中間画像データが生成される。中間画像データは、メモリ１１８ｄ３に一時記憶される。なおメモリ１１８ｄ３としては、メモリ部１２５（の一部）を用いてもよい。
【００４２】
次に、特徴抽出部１１８ｄ４は、中間画像データに対して輝度抽出処理及びフィルタ処理を施す。そしてパターン比較部１１８ｄ５は、その処理結果に対してパターン比較を行い、顔の座標とサイズ、目の座標とサイズ、及びその信頼度を出力する。上記パターン比較では、検出する顔の最大個数や、顔として認識する画素サイズを設定することができる。
【００４３】
図１に戻り、画像処理部１１８は、システム制御部１２３によって制御される。システム制御部１２３は、ＣＰＵ（central processing unit）、そのインターフェース回路、ＤＭＡＣ（direct momory access controller）及びバスアービタ等によって構成されている。ＣＰＵが実行するプログラムは、フラッシュメモリ１２４に記憶されている。
【００４４】
露出制御部１１９は、前記シャッタ１１２及び絞り１１３を制御する。
【００４５】
レンズ駆動部１２０は、前記変倍レンズ１１０及び焦点調節レンズ１１１を光軸上に沿って移動させ、被写体像を撮像素子１１４上に結像させる。
【００４６】
アスペクト比切替スイッチ１２１は、撮影時のアスペクト比を切り替えるためのもの（アスペクト比設定手段）であるが、現像時のアスペクト比も切り替えることができる（現像アスペクト比設定手段）。なお本実施の形態では、切替可能なアスペクト比を４：３と１６：９の２種類としているが、これは便宜上に過ぎず、他のアスペクト比を採用しても良いし、種類数も２種類より多くても良い。
【００４７】
記録方式切替スイッチ１２２は、画像データをＪＰＥＧ記録方式（非可逆圧縮形式の画像データを記録する記録方式；第１の記録方式）で記録するか、ＲＡＷ記録方式（可逆圧縮形式の画像データを記録する記録方式；第２の記録方式）で記録するかを切り替えるもの（記録方式設定手段）である。
【００４８】
ＨＤＭＩドライバ１６０は、ＨＤＭＩ（high-definition multimedia interface）用のドライバである。ＨＤＭＩコネクタ１６１は、ＨＤＭＩ用のコネクタである。
【００４９】
レリーズスイッチ１６２は、撮影指示を行うためのものである。
【００５０】
姿勢検出器１６３は、デジタルカメラ１００の光軸に対する回転・傾斜を検出判定するものである。
【００５１】
電池ボックス１４０は、デジタルカメラ１００に電源を供給する電池１４２を保持するものである。切片１７０及び１４１は、デジタルカメラ１００と電池１４２とを係合させるものである。
【００５２】
記録媒体１３０は、画像データを記録するためのものである。切片１２７及び１２９は、デジタルカメラ１００と記録媒体１３０とを係合させるためのものである。媒体記録禁止検出スイッチ１３１は、記録媒体１３０へのデータの書き込み禁止を検出するためのものであり、記録媒体着脱検出スイッチ１２８は、記録媒体１３０の着脱を検出するためのものである。
【００５３】
再生回路１５０は、画像処理部１１８で生成され、メモリ部１２５に記憶された画像データを表示用画像データに変換して表示装置１５１に転送するものである。再生回路１５０は、ＹＵＶ形式の画像データを輝度成分信号（以下、「Ｙ信号」という）と変調色差成分信号（以下、「Ｃ信号」という）とに分離し、各信号に対してＤ／Ａ（digital-to-analog）変換を行う。そして再生回路１５０は、アナログ化されたＹ信号にＬＰＦ（low pass filter）処理を施して、輝度成分の周波数成分のみを抽出する一方、アナログ化されたＣ信号にＢＰＦ（band-pass filter）処理を施して、変調色差成分の周波数成分のみを抽出する。再生回路１５０は、こうして生成された信号成分とサブキャリア周波数に基づいてＹ信号とＲＧＢ信号を変換生成し、表示装置１５１に出力する。このように撮像素子１１４からの画像データを逐次処理することにより、ＥＶＦ（electronic view finder）が実現される。
【００５４】
次に、撮像素子１１４の駆動制御について、図３〜図６を用いて具体的に説明する。
【００５５】
図３は、ＸＹアドレス型の走査方式を採る撮像素子１１４の構成の一部を示す図である。同図には、４行×４列の画素が示されており、破線で表された枠２０１内の構成が単位画素となっている。実際の撮像素子１１４は、所定のアスペクト比に応じた個数の単位画素２０１が２次元に配置されている。
【００５６】
単位画素２０１は、フォト・ダイオード（以下、「ＰＤ」と略して言う）２０２と、フローティング・デフュージョン（以下、「ＦＤ」と略して言う）２０３と、転送スイッチ２０４と、リセットスイッチ２０５と、ＭＯＳ（metal oxide semiconductor）アンプ２０６と、選択スイッチ２０７とによって構成されている。ＰＤ２０２は、入力光を電荷に変換する。ＦＤ２０３は、ＰＤ２０２で発生した電荷を一時的に蓄積しておく蓄積領域となるものである。転送スイッチ２０４は、ＰＤ２０２で発生した電荷を転送パルスφＴＸの発生に応じてＦＤ２０３に転送する。リセットスイッチ２０５は、ＦＤ２０３に蓄積された電荷をリセットパルスφＲＥＳの発生に応じて除去する。ＭＯＳアンプ２０６は、ソースフォロアとして機能する。選択スイッチ２０７は、選択パルスφＳＥＬの発生に応じて画素を選択する。
【００５７】
転送スイッチ２０４、リセットスイッチ２０５及び選択スイッチ２０７のそれぞれは、行単位でパルスφＴＸ、φＲＥＳ及びφＳＥＬをそれぞれ伝達する各信号線（走査ライン）に接続され、各走査ラインは垂直走査回路２１０によって選択走査される。
【００５８】
定電流源２６０は、ＭＯＳアンプ２０６の負荷となるものである。単位画素２０１と定電流源２６０は、信号出力線２０８を介して読み出し回路２２０に列単位で接続されている。出力選択スイッチ２４０は、読み出し回路２２０から出力される信号を選択するものであり、水平走査回路２３０によって選択走査される。
【００５９】
出力アンプ２５０は、読み出し回路２２０から選択されて出力される信号を撮像素子１１４の外部に出力する。
【００６０】
撮像素子１１４は、本実施の形態では、読み出し回路２２０を単一の回路によって構成しているが、これに限らず、列単位で複数のチャネルに分けて複数の回路によって構成し、読み出し時間を高速化するようにしてもよい。例えば、２チャネルの読み出し回路と水平走査回路を設け、撮像素子１１４からの出力を奇数列と偶数列とで別々に読み出してから、信号処理回路１１８ｃ側で並び替えるように構成することが考えられる。なお、読み出し回路２２０をどのように構成するかは、本発明の特徴と直接関係しないので、その説明は省略する。
【００６１】
図４は、デジタルカメラ１００における、イメージサークル（破線）、アスペクト比４：３選択時の撮像領域（実線；領域Ａ）及びアスペクト比１６：９選択時の撮像領域（２点鎖線；領域Ｂ）を示した図である。ここで、イメージサークルとは、レンズ１１０及び１１１による被写体像が結ばれる撮像素子１１４上の円形の範囲のことである。
【００６２】
同図に示すように、１つのイメージサークル内にアスペクト比４：３の撮像領域（部分撮像領域）と、アスペクト比１６：９の撮像領域（部分撮像領域）とが配置されている。撮像素子１１４の有効画像領域（撮像領域全体）は、イメージサークルよりも広い範囲（領域Ｃ）であり、アスペクト比４：３及び１６：９の各撮像領域を包含する。撮像素子１１４の駆動制御には、有効画像領域を全て読み出す駆動制御と、光学的に有効となる撮像領域内のアスペクト比４：３の画像領域を読み出す駆動制御と、光学的に有効となる撮像領域内のアスペクト比１６：９の画像領域を読み出す駆動制御とがある。これらの駆動制御は、垂直走査回路２１０及び水平走査回路２３０によって実行される。
【００６３】
単位画素２０１には、公知のベイヤ配列からなる赤（Ｒ）、緑（Ｇ）、青（Ｂ）の色相フィルタが配置されている。静止画を撮影する場合などには、アスペクト比切替スイッチ１２１で決定されたアスペクト比の有効画像領域の殆ど全ての画素を読み出して画像生成を行う。この場合には、各画素のＰＤ２０２とＦＤ２０３の電荷を一括してリセットし、行単位で読み出しを行う一括リセット読み出しが採用されることが多い。このときの後幕には、メカニカルな遮光部材によるシャッタが用いられることが多い。殆ど全ての画素を読み出すこの駆動制御では、撮像素子１１４から得られる画面単位の画像データの読み出しレートは、表示の更新レートに対して極めて低い。
【００６４】
図５は、静止画撮影時に用いられる一括リセット読み出しの動作シーケンスの一例を示す図である。
【００６５】
なお、パルスφＴＸ，φＲＥＳ及びφＳＥＬは、垂直走査回路２１０によって、例えばｎ番目の走査ラインに印加される場合には、それぞれパルスφＴＸｎ，φＲＥＳｎ及びφＳＥＬｎと表現することにする。また、図３ではｎ〜ｎ＋３の走査ラインが記載されているのに対し、図５ではこれより少ないｎ〜ｎ＋２の走査ラインしか記載されていない（逆に、後述する図６ａ及び図６ｂでは、これより多いｎ〜ｎ＋７の走査ラインが記載されている）が、それは便宜上に過ぎず、両者に構造上の差異がある訳ではない。
【００６６】
図５において、まず垂直走査回路２１０は、全ての走査ラインに対して時刻ｔ３０〜ｔ３１の期間、リセットパルスφＲＥＳと転送パルスφＴＸを印加して、リセットスイッチ２０５及び転送スイッチ２０４をオンする。これにより、全走査ラインのＰＤ２０２とＦＤ２０３に蓄積されている不要電荷が除去される。
【００６７】
そして、時刻ｔ３１で転送スイッチ２０４がオフになり、全画素についてＰＤ２０２で発生した光電荷の蓄積動作が開始される。シャッタ１１２についての遮蔽パルスＳＨＣＬＳが立ち下がった時刻ｔ３２で、撮像素子１１４への入力光は完全に遮蔽され、全画素についての光電荷の蓄積が終了する。
【００６８】
次に垂直走査回路２１０は、全ての走査ラインに対して時刻ｔ３３〜ｔ３４の期間、転送パルスφＴＸを印加して、転送スイッチ２０４をオンする。これにより、ＰＤ２０２に蓄積された光電荷はＦＤ２０３に転送される。
【００６９】
時刻ｔ３４で転送動作が終了すると、垂直走査回路２１０は、時刻ｔ３４〜ｔ３５の期間、選択パルスφＳＥＬｎを印加して、ｎ番目の走査ラインの選択スイッチ２０７をオンする。これにより、ｎ番目の走査ラインのＦＤ２０３に保持された電荷がＭＯＳアンプ２０６にて電圧に変換され、読み出し回路２２０に出力される。
【００７０】
水平走査回路２３０は、１水平走査期間（パルスＨＤの１周期）毎にパルスＨＳＲに応じて出力選択スイッチ２４０を順次オンすることで、１垂直走査ライン上のすべての画素の電圧を順次出力する。
【００７１】
垂直走査回路２１０は、シフトレジスタによって構成され、垂直方向の読み出しアドレスを指定できる。水平走査回路２３０も、垂直走査回路２１０と同様に、シフトレジスタによって構成され、水平方向の読み出しアドレスを指定できる。ＯＢ（オプティカルブラック）領域も同様に、シフトレジスタにより垂直方向と水平方向のいずれの方向にも必要な領域だけ読み出される。図５に示した有効画素データの読み出しは、タイミング信号発生部１１５が発生する駆動パルスに応じて実行される。
【００７２】
これに対して、ＥＶＦや動画撮影を行う場合における撮像素子１１４の駆動制御は、その性質上、表示の更新レートに近い方が好ましい。そのため、読み出す画素数を表示用画像生成に必要な画素数近辺になるように間引いたり、加算平均したりする必要がある。但し、画素の加算や間引きを行う上で、出来上がった出力画像のベイヤ画素重心が大きくずれないように工夫する必要がある。すなわち、出来上がった出力画像の画素配列が、加算平均や間引きを行う前のセンサ上のベイヤ配列に対して重心ズレを起こさないようにする工夫が必要である。
【００７３】
ＥＶＦや動画撮影を行う場合における撮像素子１１４の駆動制御では、撮像素子１１４から連続的に画素データを読み出す必要がある。したがって、画素又は行単位でＰＤ２０２及びＦＤ２０３に蓄積された電荷をリセットした後、画素又は行単位で順次読み出すことによって、行単位の蓄積時間を一定に保ちながら連続的に電荷を読み出す方法を採用する必要がある。このような読み出し方法は、ローリング電子シャッタ、ローリングシャッタ、フォーカルプレーン電子シャッタ、フォーカルプレーンシャッタなどと呼ばれる。本実施の形態では、以後「ローリングシャッタ」と呼ぶことにする。
【００７４】
図６ａ及び図６ｂは、撮像素子１１４のローリングシャッタ動作時の駆動シーケンスの一例を示す図である。ここでパルス信号の記述に関しては、図５の一括リセット読み出しと同様である。また本実施の形態では、説明の便宜上、蓄積時間を決定するリセットタイミングを奇数ＲＧ系行と偶数ＲＧ系行及び奇数ＧＢ系行と偶数ＧＢ系行に分けて制御し、且つ、ＲＧ系及びＧＢ系ともに奇数行間及び偶数行間で蓄積時間が同一になる方式で説明する。実際のリセット制御は、撮像素子１１４の画素数、加算平均行数及び得られる画像における画素重心を考慮してなされるので、本実施の形態で説明する方法に限られる訳ではない。
【００７５】
まず図６ａを用いて、奇数ＲＧ系行と奇数ＧＢ系行についての動作タイミングを説明する。
【００７６】
図６ａにおいて、まず垂直走査回路２１０は、ｎ番目の走査ラインに対して時刻ｔ３０〜ｔ３１の期間、リセットパルスφＲＥＳｎと転送パルスφＴＸｎを印加して、ｎ番目の走査ラインの転送スイッチ２０４及びリセットスイッチ２０５をオンする（リセット動作）。これにより、ｎ番目の走査ラインのＰＤ２０２とＦＤ２０３に蓄積されている不要電荷が除去される。
【００７７】
そして、時刻ｔ３１で転送スイッチ２０４がオフになり、ｎ番目の走査ラインのＰＤ２０２で発生した光電荷の蓄積動作が開始される。
【００７８】
同様にして、垂直走査回路２１０は、ｎ＋２番目とｎ＋４番目の走査ラインに対してリセット動作を行った後、蓄積動作を開始させる。
【００７９】
なお、ｎ＋１番目とｎ＋３番目の走査ラインに対しては、パルスＰＨＤのみが印加され、順送りでスキップされる。
【００８０】
次に垂直走査回路２１０は、ｎ番目の走査ラインに対して時刻ｔ３６〜ｔ３７の期間、転送パルスφＴＸｎを印加して、ｎ番目の走査ラインの転送スイッチ２０４をオンする。これにより、ｎ番目の走査ラインのＰＤ２０２に蓄積された光電荷はＦＤ２０３に転送される。なおリセットスイッチ２０５は、転送動作に先んじてオフする必要があり、オフした時刻ｔ３１〜ｔ３６の期間が、ｎ番目の走査ラインの蓄積時間となる。
【００８１】
ｎ番目の走査ラインの転送動作が終了すると、垂直走査回路２１０は、ｎ番目の走査ラインに対して選択パルスφＳＥＬｎを印加して、ｎ番目の走査ラインの選択スイッチ２０７をオンする。これにより、ｎ番目の走査ラインのＦＤ２０３に保持された電荷がＭＯＳアンプ２０６にて電圧に変換され、読み出し回路２２０に出力される。読み出し回路２２０にはラインメモリ（図示せず）が内蔵され、読み出し回路２２０に入力されたｎ番目の走査ラインのデータは、ラインメモリに転送されて保持される。
【００８２】
同様にして、垂直走査回路２１０は、ｎ＋２番目とｎ＋４番目の走査ラインについても転送動作を行う。なお、ｎ＋１番目とｎ＋３番目の走査ラインは、順送りでスキップされる。
【００８３】
時刻ｔ３ｂでｎ＋４番目の走査ラインのデータが読み出されると、この読み出されたデータは、先に読み出されたｎ番目とｎ＋２番目の走査ラインのデータと読み出し回路２２０内で加算平均されて保持される。
【００８４】
水平走査回路２３０は、時刻ｔ３ｃからパルスＨＳＲに応じて出力選択スイッチ２４０を順次オンすることで、読み出し回路２２０に保持された信号を順次出力する。
【００８５】
ここで、ｎ番目、ｎ＋２番目及びｎ＋４番目の走査ラインはＲＧ系なので、時刻ｔ３ｄ〜ｔ３ｅの期間では、逆送り方向のスキップが２回なされる。これにより、走査ラインはｎ＋４番目からｎ＋２番目に戻る。
【００８６】
次のフィールド（その始期は、パルスＨＤの立下がり時である）において、さらに逆送り方向のスキップが１回なされ、垂直走査回路２１０は、ｎ＋１番目の走査ラインに対して時刻ｔ４０〜ｔ４１の期間、リセットパルスφＲＥＳｎ＋１と転送パルスφＴＸｎ＋１を印加して、ｎ＋１番目の走査ラインの転送スイッチ２０４及びリセットスイッチ２０５をオンする。これにより、ｎ＋１番目の走査ラインのＰＤ２０２とＦＤ２０３に蓄積されている不要電荷が除去される。
【００８７】
そして、時刻ｔ４１で転送スイッチ２０４がオフになり、ｎ＋１番目の走査ラインのＰＤ２０２で発生した光電荷の蓄積動作が開始される。
【００８８】
同様にして、垂直走査回路２１０は、ｎ＋３番目とｎ＋５番目の走査ラインに対してリセット動作を行った後、蓄積動作を開始させる。
【００８９】
次に垂直走査回路２１０は、ｎ＋１番目の走査ラインに対して時刻ｔ４６〜ｔ４７の期間、転送パルスφＴＸｎ＋１を印加して、ｎ＋１番目の走査ラインの転送スイッチ２０４をオンする。これにより、ｎ＋１番目の走査ラインのＰＤ２０２に蓄積された光電荷はＦＤ２０３に転送される。なおリセットスイッチ２０５は、転送動作に先んじてオフする必要があり、オフした時刻ｔ４１〜ｔ４６の期間がｎ＋１番目の走査ラインの蓄積時間となる。
【００９０】
ｎ＋１番目の走査ラインの転送動作が終了すると、垂直走査回路２１０は、ｎ＋１番目の走査ラインに対して選択パルスφＳＥＬｎ＋１を印加して、ｎ＋１番目の走査ラインの選択スイッチ２０７をオンする。これにより、ｎ＋１番目の走査ラインのＦＤ２０３に保持された電荷がＭＯＳアンプ２０６にて電圧に変換され、読み出し回路２２０に出力される。読み出し回路２２０に入力されたｎ＋１番目の走査ラインのデータは、前記ラインメモリに転送されて保持される。
【００９１】
同様にして、垂直走査回路２１０は、ｎ＋３番目とｎ＋５番目の走査ラインについても転送動作を行う。なお、ｎ＋２番目とｎ＋４番目の走査ラインは、順送りでスキップする。
【００９２】
時刻ｔ４ｂでｎ＋５番目の走査ラインのデータが読み出されると、この読み出されたデータは、先に読み出されたｎ＋１番目とｎ＋３番目の走査ラインのデータと読み出し回路２２０内で加算平均されて保持される。
【００９３】
水平走査回路２３０は、時刻ｔ４ｃからパルスＨＳＲに応じて出力選択スイッチ２４０を順次オンすることで、読み出し回路２２０に保持された信号を順次出力する。
【００９４】
ここで、ｎ＋１番目、ｎ＋３番目及びｎ＋５番目の走査ラインはＧＢ系なので、時刻ｔ４ｄ〜ｔ４ｅの期間では、逆送り方向のダミースキップが２回なされる。これにより、次のＲＧ系は、ｎ＋６番目の走査ラインから同様の駆動シーケンスで読み出される。
【００９５】
図６ｂは、偶数ＲＧ系行と偶数ＧＢ系行についての動作タイミングを示しているが、図６ａとは、リセットタイミングのみが異なり、その他のタイミングは同じである。したがって、偶数ＲＧ系行と偶数ＧＢ系行についての動作タイミングの説明は省略する。
【００９６】
以上のように構成されたデジタルカメラ１００が実行する制御処理を、図７に基づいて詳細に説明する。
【００９７】
図７は、デジタルカメラ１００、特にシステム制御部１２３が実行する撮影時制御処理の手順を示すフローチャートである。
【００９８】
同図において、本撮影時制御処理が起動すると、まずシステム制御部１２３は初期化処理を行う（ステップＳ１）。初期化処理では、システム制御部１２３は内蔵メモリ（図示せず）にアスペクト比を４：３とし、記録方式をＪＰＥＧ記録方式として記憶する。
【００９９】
初期化処理が終了すると、次にシステム制御部１２３は、電源がオフされたかどうかをチェックし（ステップＳ２）、電源オフが検出されれば、本撮影時制御処理を終了する。一方、電源オフが検出されなければ、システム制御部１２３は、アスペクト比切替スイッチ１２１、記録方式切替スイッチ１２２及びレリーズスイッチ１６２の押下状態をチェックする（ステップＳ３，Ｓ７及びＳ１１）。
【０１００】
このチェックの結果、アスペクト比切替スイッチ１２１が押下されていれば、システム制御部１２３は、前記内蔵メモリに記憶されているアスペクト比をチェックする（ステップＳ４）。このチェックの結果、記憶されているアスペクト比が４：３であれば、システム制御部１２３は、アスペクト比を１６：９に変更して再記憶する（ステップＳ５）。一方、記憶されているアスペクト比が１６：９であれば、システム制御部１２３は、アスペクト比を４：３に変更して再記憶する（ステップＳ６）。
【０１０１】
一方、記録方式切替スイッチ１２２が押下されていれば、システム制御部１２３は、内蔵メモリに記憶されている記録方式をチェックする（ステップＳ８）。このチェックの結果、記憶されている記録方式がＪＰＥＧ記録方式であれば、システム制御部１２３は、記録方式をＲＡＷ記録方式に変更して再記憶する（ステップＳ９）。一方、記憶されている記録方式がＲＡＷ記録方式であれば、システム制御部１２３は、記録方式をＪＰＥＧ記録方式に変更して再記憶する（ステップＳ１０）。
【０１０２】
さらに、レリーズスイッチ１６２が押下されていれば、システム制御部１２３は、撮影処理（ステップＳ１２）、画像処理（ステップＳ１３）、記録処理（ステップＳ１４）の順に各処理を実行する。
【０１０３】
なお、アスペクト比切替スイッチ１２１、記録方式切替スイッチ１２２及びレリーズスイッチ１６２のいずれも押下されていないときには、システム制御部１２３は、処理を前記ステップＳ２に戻す。
【０１０４】
図８は、ステップＳ１２の撮影処理の詳細な手順を示すフローチャートである。
【０１０５】
同図において、システム制御部１２３は、まず自動露出制御処理を実行し（ステップＳ２１）、次に自動焦点調節処理を実行する（ステップＳ２２）。なお、自動露出制御処理及び自動焦点調節処理の詳細については、それぞれ図９及び図１０を用いて後述する。
【０１０６】
さらにシステム制御部１２３は、自動焦点調節処理で測定した被写体輝度に応じて撮影時の露出制御を行う（ステップＳ２３）。
【０１０７】
次にシステム制御部１２３は、前記内蔵メモリに記憶されている記録方式がＪＰＥＧ記録方式であるかどうかをチェックする（ステップＳ２４）。このチェックの結果、記憶されている記録方式がＪＰＥＧ記録方式であれば、システム制御部１２３は、内蔵メモリに記憶されているアスペクト比が４：３であるかどうかチェックする（ステップＳ２５）。このチェックの結果、記憶されているアスペクト比が４：３であれば、システム制御部１２３は、撮像素子１１４からアスペクト比４：３の撮像領域内の撮像データ（画素データ）を読み出す（ステップＳ２６）。一方、記憶されているアスペクト比が１６：９であれば、システム制御部１２３は、撮像素子１１４からアスペクト比１６：９の撮像領域内の撮像データを読み出す（ステップＳ２７）。
【０１０８】
一方、記憶されている記録方式がＲＡＷ記録方式であれば、システム制御部１２３は、撮像素子１１４から全有効画像領域内の撮像データを読み出す（ステップＳ２８）。
【０１０９】
そしてシステム制御部１２３は、読み出した撮像データに対して各種補正処理を施し（ステップＳ２９）、補正後の撮像データをメモリ部１２５に記憶した（ステップＳ３０）後、本撮影処理を終了する。
【０１１０】
図９は、前記ステップＳ２１の自動露出制御処理の詳細な手順を示すフローチャートである。本自動露出制御処理は、撮像素子１１４の出力を利用した相対的フィードバック測光方式の処理を示している。ＴＴＬ（through the lens）方式の焦点調節を行う場合には、撮像出力が適切な露光状態である必要があり、焦点調節前には、露出制御が必要である。
【０１１１】
本自動露出制御処理は、システム制御部１２３（の前記ＣＰＵ）が前記内蔵メモリに記憶された自動露出制御プログラムを実行することによって実現される。この自動露出制御プログラムは、測光モジュール、プログラム線図モジュール及び露出制御モジュールによって構成されている。測光モジュールでは、被写体輝度（Ｂｖ値）を測光する。プログラム線図モジュールでは、Ｂｖ値と撮像感度（Ｓｖ値）から露出制御値を一義的に導き出す。露出制御モジュールでは、プログラム線図モジュールから導き出された露出制御値、即ち絞り制御値（Ａｖ値）及びシャッタ速度（Ｔｖ値）をサブシステムの各制御手段に引き渡して、撮像素子１１４に入射する光量を調節する。絞り制御及びシャッタ速度制御は、引き渡されたＡｖ値及びＴｖ値をそれぞれが制御するデバイスに依存した実制御データに換算し、この換算された実制御データに基づいてなされる。なお、各デバイス依存の実制御データの算出方法、及びこの実制御データに基づいた制御方法の詳細については省略する。
【０１１２】
前記画像処理部１１８に含まれる前記輝度積分回路１１８ｂは、露光期間の直後の垂直転送期間に撮像素子１１４から読み出される電荷信号を、ＣＤＳ素子１１６及びＡ／Ｄ変換器１１７を介して逐次読み込む。そして輝度積分回路１１８ｂは、システム制御部１２３が予め設定した積分領域を分割した領域ごとに光束積分を行う。ここでは、焦点調節に適した積分領域に根ざした光束積分を行うようにする。
【０１１３】
図９において、まずシステム制御部１２３は、前記露出制御モジュールを実行することで、初期露出制御を行う（ステップＳ４１）とともに、前記測光モジュールを実行することで、輝度積分回路１１８ｂに前記積分領域の縦と横に複数に分割した輝度積分枠を設定する（ステップＳ４２）。
【０１１４】
次にシステム制御部１２３は、撮像素子１１４のリセットタイミングから読み出しタイミングまでを露光期間として計時し、撮像素子１１４から出力される撮像データを輝度積分回路１１８ｂに供給し、輝度積分回路１１８ｂに設定した分割枠毎に輝度成分を積分させる（ステップＳ４３）。輝度積分回路１１８ｂから積分結果が得られると、システム制御部１２３は、被写体輝度の評価判定の演算を行って被写体輝度を導出する（ステップＳ４４→Ｓ４５）。システム制御部１２３は、こうして得られた被写体輝度をプログラム線図モジュールに渡し、目標露出制御値を演算によって求め（ステップＳ４６）、この目標露出制御値になるように露出制御を行う（ステップＳ４７）。
【０１１５】
通常、測光モジュールでは、分割された輝度積分枠の積分結果を輝度積分枠毎に、１画素単位の積分値に換算した後、分割された輝度積分枠の面積比率に応じた領域毎の評価値を演算する。なお、以上の説明では、分割された枠（輝度積分枠）の縦位置と横位置とでは変更していないが、積分開始前に回転傾斜の状態に応じて枠位置や大きさを変えても良い。また、各枠の重み付けは、必ずしも縦、横又は姿勢に応じて変更する必要はない。さらに本実施の形態では、回転傾斜状態を記憶するようにしたが、これに限らず、輝度積分回路１１８ｂに直接入力して、輝度積分回路１１８ｂの内部で、枠位置の自動生成や重み付けを行っても良い。また、測光結果は、分割した枠毎の輝度分布として使用する。
【０１１６】
図１０は、前記ステップＳ２２の自動焦点調節処理の詳細な手順を示すフローチャートである。
【０１１７】
自動焦点調節（ＡＦ）制御方式は、撮像素子１１４からの撮像データに基づいて得られる輝度信号の高周波成分が最大になるレンズ位置を合焦位置とする方式である。具体的に評価に用いる信号は、撮像素子１１４からの撮像データをフィルタリングして高周波帯域の輝度成分を抽出し、設定された領域内における水平方向のピークを枠内の垂直方向に積算するなどして求めた焦点評価値である。また自動焦点調節制御方式は、焦点調節用のレンズを駆動し、レンズ位置毎の焦点評価値を評価して、最大評価値位置にレンズを駆動して焦点をあわせる方式である。
【０１１８】
図１０において、まずシステム制御部１２３は、レンズ１１１をリセットして初期位置へ移動させる（ステップＳ５１）とともに、焦点評価値カウンタ（Ｍ）と露光カウンタ（Ｎ）を初期化する（ステップＳ５２）。ＡＦ動作が開始されると、システム制御部１２３は、レンズ１１１をスキャン開始位置に相当する初期ステップに移動させる（ステップＳ５３）。
【０１１９】
次にシステム制御部１２３は、スキャン開始位置である初期ステップにおいて撮像素子１１４の露光完了を待つ（ステップＳ５４）。露光が完了すると、システム制御部１２３は、露光カウンタ（Ｎ）をインクリメントする（ステップＳ５５）。インクリメント後の露光カウンタ（Ｎ）の値がサンプリング総数（例えば“１０”）以下であれば、システム制御部１２３は、次ステップにレンズ１１１を移動させて（ステップＳ５６→Ｓ５７）、次の露光期間中に読み出される画像データから輝度の高周波成分を抽出する（ステップＳ５８）。一方、インクリメント後の露光カウンタ（Ｎ）の値がサンプリング総数を超えれば、システム制御部１２３は、レンズ１１１を移動させずに、次の露光期間中に読み出される画像データから輝度の高周波成分を抽出する（ステップＳ５６→Ｓ５８）。
【０１２０】
次にシステム制御部１２３は、得られた焦点評価値とレンズ１１１の位置を組にして記憶し（ステップＳ５９）、焦点評価値カウンタ（Ｍ）をインクリメントする（ステップＳ６０）。焦点評価値カウンタ（Ｍ）の値がサンプリング総数に達すると、システム制御部１２３は、焦点評価値の最も大きいレンズ位置にレンズ１１１を移動させて（ステップＳ６１→Ｓ６２）、本自動焦点調節処理を終了する。一方、焦点評価値カウンタ（Ｍ）の値がサンプリング総数に達しなければ、システム制御部１２３は、処理を前記ステップＳ５４に戻す。
【０１２１】
図１１は、前記図７のステップＳ１３の画像処理の詳細な手順を示すフローチャートである。
【０１２２】
同図において、まずシステム制御部１２３は、前記内蔵メモリに記憶されている記録方式がＪＰＥＧ記録方式であるかどうかをチェックする（ステップＳ７１）。このチェックの結果、記憶されている記録方式がＪＰＥＧ記録方式であれば、システム制御部１２３は、撮影時のアスペクト比に応じてメモリ部１２５に記憶された撮像データを読み出す（ステップＳ７２）。そしてシステム制御部１２３は、画像領域を縦と横に分割して各領域毎の白抽出を行い、前記信号処理回路１１８ｃが信号処理を行う際の各色のゲインパラメータを算出し（ステップＳ７３）、算出したゲインパラメータを信号処理回路１１８ｃに供給する。
【０１２３】
信号処理回路１１８ｃは、前記読み出された撮像データに対して色キャリア除去、アパーチャ補正及びガンマ補正等を施して輝度信号を生成するとともに、色補間、マトリックス変換、ガンマ処理及びゲイン調整等を施して色差信号を生成する。さらに信号処理回路１１８ｃは、生成した輝度信号及び色差信号からなる、アスペクト比に応じたＹＵＶ形式の画像データを生成し、このＹＵＶ形式の画像データをメモリ部１２５に格納する（ステップＳ７４）。
【０１２４】
続いて信号処理回路１１８ｃは、前記縮小回路１１８ｅを介して、記録画像サイズに応じて、上記ＹＵＶ形式の画像データ内の画素データに対する切り出し、間引き及び線形補間等の処理を行い、水平方向及び垂直方向の両方向について画素データを縮小する（ステップＳ７５）。
【０１２５】
さらにシステム制御部１２３は、前記ラスタブロック変換回路１１８ｆを介して、上記縮小画像をブロックスキャン画像データに変換し、このブロックスキャン画像データに変換された画像データを、前記圧縮回路１１８ｇを介してブロック単位でＪＰＥＧ画像データに圧縮する（ステップＳ７６）。そして圧縮回路１１８ｇは、圧縮されたＪＰＥＧ画像データをメモリ部１２５のＪＰＥＧバッファ領域に記憶する（ステップＳ７７）。
【０１２６】
一方、記憶されている記録方式がＲＡＷ記録方式であれば、システム制御部１２３は、メモリ部１２５から全有効画像領域のＲＢＧ撮像データを読み出し（ステップＳ７８）、圧縮回路１１８ｇを介してロスレス圧縮し（ステップＳ７９）、ＲＡＷ画像データとして、ＪＰＥＧ画像データと同様にＪＰＥＧバッファ領域に記憶する（ステップＳ７７）。
【０１２７】
図１２は、前記図７のステップＳ１４の記録処理の詳細な手順を示すフローチャートである。
【０１２８】
同図において、まずシステム制御部１２３は、前記内蔵メモリに記憶されている記録方式がＲＡＷ記録方式であるかどうかをチェックする（ステップＳ８１）。このチェックの結果、記憶されている記録方式がＲＡＷ記録方式であれば、システム制御部１２３は、撮影時のアスペクト比と（ステップＳ８２）、全有効画像領域内のアスペクト比４：３の画像領域（撮像領域、現像画像領域）の位置と（ステップＳ８３）、全有効画像領域内のアスペクト比１６：９の画像領域（撮像領域、現像画像領域）の位置と（ステップＳ８４）を前記メモリ部１２５に一時記憶する。そしてシステム制御部１２３は、この一時記憶した各種情報をＲＡＷ画像ファイルのヘッダに埋め込んで（ステップＳ８５）、ＲＡＷ画像データととともに、つまりＲＡＷ画像データと関連付けられて、ＲＡＷ画像ファイルとして前記記録媒体１３０に記憶する（ステップＳ８６）。
【０１２９】
一方、記憶されている記録方式がＪＰＥＧ記録方式であれば、システム制御部１２３は、ヘッダ及びＪＰＥＧ画像データをＪＰＥＧ画像ファイルとして記録媒体１３０に記憶する。
【０１３０】
図１３は、前記図１１の画像処理とは別の他の画像処理の詳細な手順を示すフローチャートである。なお、図１３中、図１１と同様の処理を行うステップには同一のステップ番号を付し、その説明は省略する。
【０１３１】
同図において、前記内蔵メモリに記憶されている記録方式がＲＡＷ記録方式である場合には、システム制御部１２３は、前記図１１のステップＳ７８及びＳ７９の処理と同様の処理を行う。そしてシステム制御部１２３は、全有効画像領域のＲＢＧ撮像データから全有効画像領域のＹＵＶ形式の画像データを生成する（ステップＳ９１）。さらにシステム制御部１２３は、生成された全有効画像領域のＹＵＶ形式の画像データを前記画像処理部１１８の前記顔検出回路１１８ｄに供給する。これに応じて顔検出回路１１８ｄは、前述のようにして、顔の座標とサイズ、目の座標とサイズ、及びその信頼度を出力する（ステップＳ９２）。次にシステム制御部１２３は、撮影シーン判定処理を実行した（ステップＳ９３）後、前記図１１のステップＳ７７の処理と同様の処理を行う。
【０１３２】
図１４は、前記ステップＳ９３の撮影シーン判定処理の詳細な手順を示すフローチャートである。本撮影シーン判定処理では、顔検出情報、輝度分布情報、色温度情報及び撮影モード情報に基づいて撮影シーンを判定する。
【０１３３】
図１４において、まずシステム制御部１２３は、撮影モードをチェックする（ステップＳ１０１，Ｓ１０３，Ｓ１０５及びＳ１０７）。このチェックの結果、撮影モードが夕日モードであれば、システム制御部１２３は、撮影シーンを夕日写真と判定する（ステップＳ１０２）。一方、撮影モードが夜景モードであれば、システム制御部１２３は、撮影シーンを夜景写真と判定する（ステップＳ１０４）。また、撮影モードが風景モードであれば、システム制御部１２３は、撮影シーンを風景写真と判定する（ステップＳ１０６）。さらに、撮影モードがポートレートモードであれば、システム制御部１２３は、撮影シーンを人物写真と判定する（ステップＳ１０８）。
【０１３４】
また、撮影モードが上記モードのいずれでもなく、かつ顔が検出されていれば、システム制御部１２３は、画角に占める顔の大きさを判定する（ステップＳ１１０）。この判定の結果、３％以上の占有率であれば、システム制御部１２３は、人物写真と判定する（ステップＳ１０８）。一方、顔が検出されず、あるいは顔の占有率が３％未満であれば、システム制御部１２３は、被写体輝度分布を分類し、当該輝度分布に上下差があるかどうかを判定する（ステップＳ１１１）。この判定の結果、上下に輝度差があれば、システム制御部１２３（色温度判定手段）は、ホワイトバランスにおける被写体の色温度を判定する（ステップＳ１１２）一方、上下に輝度差がなければ、システム制御部１２３は、その他の写真とする（ステップＳ１１３）。
【０１３５】
上記ステップＳ１１２の判定の結果、高色温度であれば、システム制御部１２３は、風景写真と判定する（ステップＳ１０６）一方、低色温度であれば、システム制御部１２３は、夕日写真と判定する（ステップＳ１０２）。
【０１３６】
図１５は、前記図１２の記録処理とは別の他の記録処理の詳細な手順を示すフローチャートである。なお、図１５中、図１２と同様の処理を行うステップには同一のステップ番号を付し、その説明は省略する。
【０１３７】
図１５において、前記内蔵メモリに記憶されている記録方式がＲＡＷ記録方式である場合には、システム制御部１２３は、図１２のステップＳ８２〜Ｓ８４と同様の処理を行った後、全有効画像領域内の顔検出情報（ステップＳ１２１）、撮影モードを含むシーン判別情報（ステップＳ１２２）及び姿勢情報（ステップＳ１２３）も前記メモリ部１２５に一時記憶する。そしてシステム制御部１２３は、この一時記憶した各種情報をＲＡＷ画像ファイルのヘッダに埋め込む（ステップＳ８５′）。
【０１３８】
次に、ロスレス圧縮画像データ、つまりＲＡＷ画像データの現像処理について説明する。
【０１３９】
図１６は、この現像処理の詳細な手順を示すフローチャートである。なお本現像処理は、より詳細なチューニングを可能とするためにＰＣ（パーソナルコンピュータ）上のアプリケーションで実現するのが一般的であるが、本実施の形態では、デジタルカメラ１００内で実行するようにしている。
【０１４０】
図１６において、まずシステム制御部１２３は、現像時のアスペクト比を決定するためのアスペクト比決定処理を実行する（ステップＳ１３１）。なお、このアスペクト比決定処理の詳細については、図１７を用いて後述する。
【０１４１】
次にシステム制御部１２３は、現像対象になっているＲＡＷ画像ファイルのヘッダから、全有効画像領域内の現像可能なアスペクト比の画像領域の位置情報を読み出す（ステップＳ１３２）。
【０１４２】
そしてシステム制御部１２３は、当該ＲＡＷ画像ファイルに含まれるＲＡＷ画像データを伸長する（ステップＳ１３３）。
【０１４３】
さらにシステム制御部１２３は、前記ステップＳ１３１の処理によって決定されたアスペクト比をチェックする（ステップＳ１３４）。このチェックの結果、決定されたアスペクト比が４：３であれば、システム制御部１２３は、全有効画像領域からアスペクト比４：３の画像領域の画像データを抽出して、ＹＵＶ形式の画像データを生成する（ステップＳ１３５）。一方、決定されたアスペクト比が１６：９であれば、システム制御部１２３は、全有効画像領域からアスペクト比１６：９の画像領域の画像データを抽出して、ＹＵＶ形式の画像データを生成する（ステップＳ１３６）。
【０１４４】
次にシステム制御部１２３は、前記図１１のステップＳ７５〜Ｓ７７の各処理と同様にして、記録画像サイズに応じて上記ＹＵＶ形式の画像データを変倍し（ステップＳ１３７）、ＪＰＥＧ画像データに圧縮した（ステップＳ１３８）後、ＪＰＥＧバッファ領域に記憶する（ステップＳ１３９）。
【０１４５】
図１７は、前記ステップＳ１３１のアスペクト比決定処理の詳細な手順を示すフローチャートである。
【０１４６】
システム制御部１２３は、現像時のアスペクト比の決定に、アスペクト比切替スイッチ１２１を優先適用するか否かを切り替えるためのＧＵＩ（graphical user interface）を前記表示装置１５１に表示し、その切替手段をユーザに提供する。このＧＵＩは、具体的には、システム制御部１２３がメモリ部１２５にビットマップを形成し、再生回路１５０を介して表示装置１５１に転送することによって、表示装置１５１上に表示される。
【０１４７】
まずシステム制御部１２３は、現像時にアスペクト比切替スイッチ１２１を優先するかどうかを判定する（ステップＳ１４１）。この判定の結果、アスペクト比切替スイッチ１２１を優先する場合には、システム制御部１２３は、アスペクト比切替スイッチ１２１の指示状態を読み出し（ステップＳ１４２）、アスペクト比切替スイッチ１２１の指示状態に応じてアスペクト比を決定する（ステップＳ１４３〜ステップＳ１４５）。
【０１４８】
一方、アスペクト比切替スイッチ１２１を優先しない場合には、システム制御部１２３は、撮影時の姿勢情報を判定する（ステップＳ１４６）。この判定の結果、縦位置撮影の場合には、システム制御部１２３は、撮影時のアスペクト比切替スイッチ１２１の指示状態を示す情報、つまり現像対象のＲＡＷ画像ファイルのヘッダ内に埋め込まれている撮影時のアスペクト比を読み出し（ステップＳ１４７）、読み出したアスペクト比を目的のアスペクト比に決定する（ステップＳ１４３〜ステップＳ１４５）。
【０１４９】
一方、横位置撮影の場合には、システム制御部１２３（第１の決定手段）は、顔情報を読み出し（ステップＳ１４８）、全有効画像領域内で検出された顔がアスペクト比４：３の画像領域に納まっているかいなかを判定する（ステップＳ１４９）。この判定の結果、納まっていれば、システム制御部１２３は、アスペクト比を４：３に決定する（ステップＳ１４４）。一方、納まっていなければ、システム制御部１２３は、アスペクト比１６：９の画像領域に納まっているか否かを判定する（ステップＳ１５０）。この判定の結果、納まっていれば、システム制御部１２３は、アスペクト比を１６：９に決定する（ステップＳ１４５）。一方、納まっていなければ、システム制御部１２３（第２の決定手段）は、シーン情報を読み出す（ステップＳ１５１）。
【０１５０】
システム制御部１２３は、読み出したシーン情報が人物写真を示しているかどうかを判定し（ステップＳ１５２）、人物写真であれば、アスペクト比を４：３に決定する（ステップＳ１４４）一方、それ以外は、アスペクト比を１６：９に決定する（ステップＳ１４５）。
【０１５１】
なお、顔情報による判定とシーン情報による判定の順序を逆にしてもよい。さらに本実施の形態では、顔情報による判定とシーン情報による判定のいずれも設けているが、いずれか一方のみ設けるようにしても良い（第３の決定手段）。
【０１５２】
また、本実施の形態では、各種撮影に関する情報を記録対象の画像から求めるようにしたが、レリーズＳＷがオンされる前に逐次取得している前述のＥＶＦ用の画像から求めるようにしても良い。この場合、図１３のステップＳ９２の顔検出処理やステップＳ９３の撮影シーン判定処理が、ＥＶＦ用の画像に対して逐次行われる。そして、レリーズＳＷが半押しまたは全押しされたタイミングに対応するＥＶＦ用の画像に基づき、記録させるべき各情報が決定されることになる。
【０１５３】
また、デジタルカメラ１００で現像を行う場合に、ＨＤＭＩ接続機器への出力画像を生成するときには、必ずアスペクト比１６：９の画像を生成する。
【０１５４】
以上のように、撮影時のアスペクト比を含む異なる複数のアスペクト比でロスレス圧縮画像データを現像することができる。そして、ロスレス圧縮画像データを現像する場合に、撮影時のアスペクト比で現像を行い、デジタルカメラ１００内で生成するＪＰＥＧ圧縮画像と同じアスペクト比でより高度な現像を行わせることが可能となる。もちろん、撮影時のアスペクト比とは異なるアスペクト比で現像することもできる。したがって、撮影画角、印刷及び表示デバイスに応じてアスペクト変換を行い、より有利な条件で現像を行うことができる。
【０１５５】
さらに、圧縮画像を生成する際に、部分的に読み出すことにより、撮影間隔や連写性能を確保するとともに、ロスレス圧縮画像データを生成する際には、全体画像を読み出すことにより現像時の優位性を確保することができる。また、撮影画角や撮影シーンに基づいて、自動的に現像するアスペクト比の決定を補助することができる。
【０１５６】
なお、上述した実施の形態は、ネットワーク又は各種記憶媒体を介して取得したソフトウェア（プログラム）をパーソナルコンピュータ（ＣＰＵやプロセッサ）にて実行することでも実現できる。
【符号の説明】
【０１５７】
１００：デジタルカメラ本体，１１０：変倍レンズ，１１１：焦点調節レンズ，１１２：メカニカルシャッタ，１１３：絞り，１１４：撮像素子，１１５：タイミング信号発生部，１１６：ＣＤＳ素子，１１７：Ａ／Ｄ変換器，１１８：画像処理部，１１９：露出制御部，１２０：レンズ制御部，１２１：アスペクト比切替スイッチ，１２２：記録方式切替スイッチ，１６２：レリーズスイッチ，１６３：姿勢検出器，１３０：記録媒体，１５０：再生回路，１５１：表示装置
【図１】
0005550333.tif 000002
【図２】
0005550333.tif 000003
【図３】
0005550333.tif 000004
【図４】
0005550333.tif 000005
【図５】
0005550333.tif 000006
【図６ａ】
0005550333.tif 000007
【図６ｂ】
0005550333.tif 000008
【図７】
0005550333.tif 000009
【図８】
0005550333.tif 000010
【図９】
0005550333.tif 000011
【図１０】
0005550333.tif 000012
【図１１】
0005550333.tif 000013
【図１２】
0005550333.tif 000014
【図１３】
0005550333.tif 000015
【図１４】
0005550333.tif 000016
【図１５】
0005550333.tif 000017
【図１６】
0005550333.tif 000018
【図１７】
0005550333.tif 000019